(57)【特許請求の範囲】
【請求項１】
段ボール紙によりそれぞれ成形された一方及び他方の板部と、この一方の板部と他方の板部との間に固定されてなる中間板部とを有し、この中間板部の一端面は、上記一方及び他方の板部の各一端面よりも他端側に位置してなるとともに、該一方の板部の一端側の内側面と他方の板部の一端側内側面と中間板部の端面とにより、該一方及び他方の板部の肉厚と略同じ幅となされた凹溝が形成されてなり、上記凹溝を形成する部位における一方の板部の内側面及び外側面と、この内側面に対抗してなる他方の板部の内側面及び外側面とには、それぞれ該凹溝の長さ方向と直交する方向に長さを有する凹条と凸条とが交互に形成された波状シート部が形成されてなることを特徴とするブロック玩具。
【請求項２】
前記中間板部の一端面と、前記一方及び他方の板部の各一端面とには、前記凹溝の長さ方向と直交する方向に長さを有する凹条と凸条とが交互に形成された波状シート部が形成されてなることを特徴とする請求項１記載のブロック玩具。
【請求項３】
前記一方及び他方の板部の外側面には、前記波状シート部により囲まれ任意の図柄や文字又は記号が記載される記載面が形成されてなることを特徴とする請求項１又は２記載のブロック玩具。
【請求項４】
前記請求項１，２又は３記載の何れかのブロック玩具を構成要素としてなるブロック玩具セット。
【発明の詳細な説明】
【０００１】
【発明が属する技術分野】
本発明は、例えば、２〜８歳位の幼児が使用するブロック玩具及びブロック玩具セットに関するものであり、幼児がブロック玩具同士を適宜選択して連結させることにより、好きな大きさ，形状として遊ぶために使用されるのものである。
【０００２】
【従来の技術】
従来より、幼児の遊戯には様々な種類の玩具が用いられている。これらの玩具の中でも、幼児が手先を動かすことで脳を刺激し、ひいては創造力の発達に特に効果があるものとして、ブロック玩具及びブロック玩具セットは広く用いられている。このブロック玩具セットは、様々な形状，大きさからなるブロック玩具を多数まとめて一組としてセットにされて販売されるものである。これらのブロック玩具には、ブロック玩具同士が互いに着脱可能とするための係合片，係合孔等が設けられており、この係合片及び係合孔等を介してブロック玩具を組み合わせて連結し、家や店舗等の建物，自動車等の乗物のように、幼児が自分の望みに合わせて好きな形状に組み合わせ、遊ぶものとされている。
【０００３】
このようにブロック玩具は、一定の形状に係合して組み合わせ連結されて用いられることから、このブロック玩具の係合片，係合孔等による着脱は容易に可能なもので、同時に、この連結されたブロック玩具の形状が簡単には崩れず、係合片及び係合孔等での連結が確実に保たれる必要があることから、このブロック玩具の材質は適度に弾性変形をするものであることが望ましい。また、組み合わされるブロック玩具自体も簡単に壊れないような強度を有する材質であって、同時に、幼児がこのブロック玩具で遊ぶ際に投げたり転倒することもあることを考慮し、投げたり転倒した際にブロック玩具が頭部等に当たった場合であっても幼児が怪我を負わないような材質であることも必要である。また、幼児は手にした玩具を口に入れ、或いは舐めることがあることから、このブロック玩具は人体に安全な材質で作られる必要がある。また、幼児がブロック玩具で遊ぶ期間は主に５，６歳程度迄と短いことから、このブロック玩具を廃棄する際の手間，方法に関しても考慮すべきであり、特に昨今は環境問題が大きく取り上げられることから、このブロック玩具は廃棄の際に環境に負担を掛けず、リサイクルが可能な材質で作られることが望ましい。さらには、幼児が組み立てて作るものに合わせて、或いは幼児の希望に応じて、新たな形状のものを気軽に作成できるようなブロック玩具であることが望ましい。
【０００４】
【発明が解決しようとする課題】
現在では、ブロック玩具の材質にはプラスチック材料が用いられており、このプラスチック材料は、以上に挙げたブロック玩具の材質に望まれる条件として、適度に弾性変形し、かつ適度に強度を有するという条件を満たしている。しかし、プラスチック材料では投げたり転倒した際に頭部等に当たった場合に怪我を負うことは可能性が高い点で問題があり、また、幾つかの種類のプラスチックからは人体に悪影響を及ぼす環境ホルモンが検出されており、幼児がブロック玩具を口内に入れた場合を考慮すると危険である。さらに、プラスチック材料では、リサイクルをして他の新たな製品を作成することが難しく、手間が掛かる点で問題がある。さらに、プラスチック材料では、新たな形状のブロック玩具の作成の際に金型を作成する必要があり、非常に手間とコストが掛かる。
【０００５】
そこで、本発明は、上述した従来のブロック玩具及びブロック玩具セットが有する課題を解決するために提案されたものであって、幼児が遊ぶのに適した材料を用いて作成されたブロック玩具及びブロック玩具セットを提供することを目的とするものである。
【０００６】
【課題を解決するための手段】
本発明は、上記の課題を解決するために提案されたものであって、第１の発明（請求項１記載の発明）は、ブロック玩具であって、段ボール紙によりそれぞれ成形された一方及び他方の板部と、この一方の板部と他方の板部との間に固定されてなる中間板部とを有し、この中間板部の一端面は、上記一方及び他方の板部の各一端面よりも他端側に位置してなるとともに、該一方の板部の一端側の内側面と他方の板部の一端側内側面と中間板部の端面とにより、該一方及び他方の板部の肉厚と略同じ幅となされた凹溝が形成されてなり、上記凹溝を形成する部位における一方の板部の内側面及び外側面と、この内側面に対抗してなる他方の板部の内側面及び外側面とには、それぞれ該凹溝の長さ方向と直交する方向に長さを有する凹条と凸条とが交互に形成された波状シート部が形成されてなることを特徴とするものである。
【０００７】
このブロック玩具の作成に用いられる段ボール紙とは、主に物品の梱包，荷造り等に用いられている二枚のボール紙の内側に波形のボール紙を張りつけて作られるものや、上記波状のボール紙（波状シート）を含むものである。このブロック玩具は、段ボール紙により成形された一方の板部，他方の板部，中間板部及び波状シート部から構成され、中間板部を挟んで一方及び他方の板部を固定するものであり、これら一方の板部，他方の板部及び中間板部は、互いに同じ厚さとされている。また、この中間板部は、例えば一方及び他方の板部よりも一回り小さな外形形状となされ、一方及び他方の板部に挟まれることから、この中間板部の一端面は、上記一方及び他方の板部の各一端面よりも他端側に位置してなり、凹溝が形成される。つまり、一方の板部の一端側の内側面と他方の板部の一端側の内側面と中間板部の端面とにより形成される凹溝の幅は、一方及び他方の板部の厚さと略同じ幅となされる。このため、一のブロック玩具の凹溝の中に他のブロック玩具の一方及び他方の板部を挿入することにより、これら一及び他のブロック玩具を互いの有する溝部に互いの一方又は他方の板部を挿入し合い、連結することができる。また、該溝部の内側面，外側面には凹条と凸条が形成された波状シート部が形成され、この凹条と凸条は該凹溝の長さ方向と直交する方向に長さを有するものであることから、上記の連結のための挿入をする際にはこれらの凹条と凸条が互いに妨げとなることがなく、また、挿入して連結した一及び他のブロック玩具を互いに該凹溝の長さ方向に動かす場合には、これらの凹条と凸条が互いにダンボール紙の弾性を生かして嵌合し合うことから、この一及び他のブロック玩具は確実に連結される。また、このブロック玩具は、段ボール紙という容易に手に入る材料から作られ、簡易な構造であることから容易に作成することができる。また、このブロック玩具を掴んで動かす際には、端部に波状シート部が形成されていることから、このブロック玩具を掴んで動かす場合にはこの波状シート部が滑り止めとなり、握力が弱い幼児でも容易にこのブロック玩具を動かすことができる。
【０００８】
また、第２の発明（請求項２記載の発明）は、前記第１の発明において、前記中間板部の一端面と、前記一方及び他方の板部の各一端面とには、前記凹溝の長さ方向と直交する方向に長さを有する凹条と凸条とが交互に形成された波状シート部が形成されてなることを特徴とするものである。
【０００９】
この第２の発明では、中間板部の一端面と、前記一方及び他方の板部の各一端面とには、前記凹溝の長さ方向と直交する方向に長さを有する凹条と凸条とが交互に形成された波状シート部が形成されている。このため、前記のように、一及び他のブロック玩具を、互いの板部を互いの溝部に挿入することにより連結した場合には、第１の発明の溝部に述べたように、内側面，外側面の波状シート部の凹条，凸条が嵌合する他に、この中間板部の一端面と一方及び他方の板部の各一端面の凹条，凸条も嵌合するものとなることから、この一及び他のブロック玩具はより確実に連結され、凹部の長さ方向にずれることを防止することができる。
【００１０】
また、第３の発明（請求項３記載の発明）は、前記第１乃至第２の発明において、前記一方及び他方の板部の外側面には、前記波状シート部により囲まれ任意の図柄や文字又は記号が記載される記載面が形成されてなることを特徴とするものである。
【００１１】
この第３の発明では、一方及び他方の板部の外側面には、波状シート部に囲まれて段ボール紙の地が表れ、この地の部分を任意の図柄や文字又は記号が記載される記載面とすることができる。このことから、このブロック玩具を用いる幼児は、ブロック玩具を組み立てるのみならず、この記載面に任意に落書き等を行うことができ、このブロック玩具を用いる遊びの幅をより広げることができる。なお、この記載面への記載を全て消去して新たな記載を行う場合には、該記載面の上に新たに紙片を貼付することによって新たに無地の記載面を形成することとしても良いし、或いは、予め多数の紙片を該記載面上に貼付しておき、記載を終え次第これらの紙片を剥離することで新たな無地の記載面が次々と表れるものとしても良い。
【００１４】
また、第４の発明（請求項４記載の発明）は、ブロック玩具セットであって、前記第１乃至第３の発明記載の何れかのブロック玩具を構成要素としてなることを特徴とするものである。
【００１６】
【発明の実施の形態】
以下、本発明の実施の形態に係るブロック玩具及びブロック玩具セットについて、図面を参照しながら詳細に説明する。
【００１７】
本発明の実施の形態に係るブロック玩具セット１は、図１に示すものとされている。すなわち、このブロック玩具セット１は、長方体の形状とされたブロック玩具２，三角柱の形状とされたブロック玩具３，十字状の平面形状を有するブロック玩具４及び３本の円柱を平行に並べて束ねた形状とされたブロック玩具５及びその他様々な形状とされたブロック玩具７１乃至７６から構成されるものであり、これらのブロック玩具（符号は省略する。）の有する溝部，突出部等を組み合わせ、さまざまな形状に連結することができる。なお、このブロック玩具セット１は、あくまで一つの形態を示すものであり、本発明を構成するブロック玩具の形状は、ここに示すブロック玩具２乃至５及び７１乃至７６の形状に限られるものではない。
【００１８】
これらのブロック玩具の構成には、平らな板材を貼り合わせて作られる一の種類のブロック玩具と、円筒状の部材を並べて連結する他の種類のブロック玩具の二つの種類がある。上記のブロック玩具２乃至４及び７１乃至７４は、この一の種類のブロック玩具の構成からなるもので、ブロック玩具５及び７６は、この他の種類のブロック玩具の構成からなるものである。最初に、ブロック玩具２を例に挙げ、平らな板材を貼り合わせて作られる一の種類のブロック玩具の構成に付いて説明する。
【００１９】
このブロック玩具２は、一方の板部６，他方の板部７及び中間板部８から構成され、このブロック玩具２の斜視図及び分解斜視図である図２の（Ａ），（Ｂ）及び図３に示すように、一方の板部６及び他方の板部７の間に中間板部８を挟み、紙工作に使われる接着剤を用いて貼りつけた構造とされている。また、この中間板部８は、図３に示すように、同じ大きさとされた２枚の長方形状の段ボール紙９，１０を接着剤を用いて貼り合わせ、この段ボール紙９，１０を貼り合わせてできた板材の長方形の４つの辺に対応する端部には、図３に示すように波状シート紙１１，１２，１３及び１４が貼り付けられている。なお、この段ボール紙９，１０は、外部からの加圧に対して均等に耐えられるものとするために、段ボール紙９，１０を構成する波状シート紙９ａ，１０ａが互いに直交する向きとされて貼り合わされている。また、この波状シート紙１１は、段ボール紙９，１０を貼り合わせた板材の厚みに対応する幅と、この波状シート紙１１が貼り付けられる該板材端部９ｂ，１０ｂの辺の長さに対応した長さを有する長方形部１１ａと、この対抗する２つの長さ方向で辺それぞれから形成される台形部１１ｂ，１１ｃから構成されており、この波状シート紙１１と該板材とは、図３に示すように長方形部１１ａと台形部１１ｂ，１１ｃとの境界において折曲なされ、長方形部１１ａが該板材の端部を覆うように貼り付けられて固定されている。同様に、各波状シート紙１２，１３，１４は、それぞれ該板材の端部９ｃ，１０ｃ，９ｄ，１０ｄ，９ｅ，１０ｅの長さと同じ長さとされた長方形部１２ａ，１３ａ，１４ａと台形部１２ｂ，１２ｃ，１３ｂ，１３ｃ，１４ｂ，１４ｃを有し、折曲されて該板材に貼り付けられて固定されている。なお、この波状シート紙１１，１２，１３，１４は、表面には一定の間隔で凸条と凹条が交互に表れ、裏面が平面状とされた紙であって、この波状シート紙１１，１２，１３，１４の貼り付け，固定は、この凸条，凹条の方向が段ボール紙９，１０からなる板材の端部をなす４つの辺の長さ方向と直交するものとされている。
【００２０】
また、図２及び図３に示すように、一方の板部６，他方の板部７は、共に中間板部８と同じ製法からなって同じ構成、同じ大きさとされ、かつ、中間板部８よりも大きさが大にされている。すなわち、一方の板部６，他方の板部７は、符号を省略する段ボール紙２枚を貼り合わせて板材とし、該板材の４つの辺の端部それぞれに符号を省略する波状シート紙を貼り付けて固定して作られている。このように、一方の板部６，他方の板部７は、共に中間板部８よりも大きいものとされていることから、一方の板部６，他方の板部７及び中間板部８を貼り合わせてできたブロック玩具２は、端部全周に渡り、凹溝１５が形成されている。なお、一方の板部６，他方の板部７及び中間板部８を構成する段ボール紙９，１０等は、全て同じ厚さとなされており、このため、一方の板部６及び他方の板部７の肉厚と、この凹溝１５の幅は略同一とされている。
【００２１】
また、図１中に示すブロック玩具３及び４も、ブロック玩具２と略同一の構成であり、略同一の製法により作られている。すなわち、ブロック玩具３は、前記のブロック玩具２の一方の板部６，他方の板部７及び中間板部８を構成する段ボール紙９，１０等を、長方形状とする替わりに三角形状として作成したものである。また、ブロック玩具４は、前記ブロック玩具２の一方の板部６及び他方の板部７のそれぞれの面の上に、符号を省略する２枚の板部及び１枚の中間板部を直立させる構成として、平面形状が十字状として作成したものである。なお、これらのブロック玩具３及び４に使われている一方の板部，他方の板部及び中間板部に用いる段ボール紙の肉厚は、ブロック玩具２の段ボール紙９，１０と同じ肉厚のものとされており、このため、ブロック玩具３及び４の一方の板部，他方の板部の肉厚及び凹溝の幅は、ブロック玩具２の一方の板部６，他方の板部７の肉厚及び凹溝１５の幅と略同一となされている。
【００２２】
以上に述べたブロック玩具の一方及び他方の板部の外側面、すなわち一方及び他方の板部の中間板部との接着面の裏面には、図２に示すブロック玩具２のように、一方及び他方の板部を構成する段ボール紙の面が波状シート紙に囲まれた記載面１６が表れるが、この記載面１６に任意の図柄や文字又は記号を記載し、或いは色紙を貼付することができ、さらに波状シート紙への着色も行うことができる事から、本発明の一の種類のブロック玩具に形状以外に色彩，模様によっても豊富に変化を持たせることができる。また、以上に述べた平らな板材を貼り合わせて作られる一の種類のブロック玩具は、ここに例に挙げたブロック玩具２，３，４のような形状に限定されるものではなく、一方及び他方の板部及び中間板部の形状を変えることにより、詳細な説明は省略するが、図１中のブロック玩具７１乃至７４のように様々な形状のブロック玩具を作ることができる。すなわち、一方の板部，他方の板部及び中間板部を円盤状の形状とし、これらを互いに貼り合わせることによって、円盤形のブロック玩具７１を作成することができる。また、一方の板部，他方の板部及び中間板部を、ブロック玩具３とは異なる三角形に成形し、これらを互いに貼り合わせることによって、ブロック玩具３とは異なる形状の三角柱状のブロック玩具７２を作成することができる。さらに、一方の板部，他方の板部及び中間板部を２組用い、これらの一方の板部，他方の板部及び中間板部同士を任意の角度を付けて繋ぐものとすることにより、２つのブロック玩具同士を角度を付けて連結することなどができる図１中のブロック玩具７３，７４を作成することができる。なお、以上に述べたブロック玩具２を構成する一方の板部６，他方の板部７，中間板部８，段ボール紙９，１０，波状シート紙１１，１２，１３，１４，凹溝１５及び記載面１６は、それぞれ本発明を構成する一方の板部，他方の板部，中間板部，段ボール紙，波状シート紙，凹溝及び記載面である。
【００２３】
次に、円筒状の部材を並べて固定する他の種類のブロック玩具の構成について、図１のブロック玩具５を例に説明する。このブロック玩具５は、図４及び図５に示すように、突出部材２１，円筒部材２２及び被覆シート部２３から構成されており、これら突出部材２１，円筒部材２２及び被覆シート部２３は、それぞれ上記のブロック玩具２等に用いられている表面に凹条と凸条が交互に形成された波状シート紙と同じ紙を用いており、波状シート紙を適宜巻回し、接着剤によりこの巻回した状態を保つように貼付することにより作られる。図５に示すように、この突出部材２１は、波状シート紙の凹条と凸条が形成されている表面を外側に向け、かつ、この凹条と凸条を突出部材２１の長さ方向に向けて巻回されている。また、円筒部材２２は、突出部材２１の外周に、波状シート紙の凹条と凸条が形成されている表面を内側に向け、かつ、この凹条と凸条を円筒部材２２の長さ方向に向けて巻回されている。この突出部材２１，円筒部材２２は、共に同じ幅とされた波状シート紙を用いて作られており、このことからこれら突出部材２１，円筒部材２２は共に長さとされており、かつ、突出部材２１と円筒部材２２とは長さ方向にずらして配置され、突出部材２１の外周及び円筒部材２２の内周の凹条と凸条を嵌合させて接着剤により固定されている。このため、この突出部材２１，円筒部材２２により作られる円筒部２４の上方には、図４及び図５に示すような突出部２５が形成され、また、該円筒部の下方には、図１に示すような凹部２６が形成されている。なお、この突出部材２１の直径は、上記の一の種類のブロック玩具であるブロック玩具２，３及び４の外周に形成される凹溝１５の幅と略同一とされている。このように作られる３つの円筒部２４を、長さ方向を平行として直線状に並列させ、この３つの円筒部２４の外側には被覆シート部２３が巻回し、３つの円筒部２４を被覆してこのブロック玩具５は作られている。この被覆シート２３も、前記の通り、波状シート紙からなり、表面を外側に向けて巻き付けており、また、この表面上に形成される凹条と凸条は、この円筒部２４の長さ方向と同じ向きに向けられている。
【００２４】
ブロック玩具５は、以上の構成とされることから、このブロック玩具５の突出部２５の直径及び凹部２６の内径とは互いに略同一なものとされている。また、この突出部２５の外周及び凹部２６の内周は、共に波状シート紙の表面が表れている。このため、このブロック玩具５が２つ有る場合には、後述するように、一のブロック玩具５の凹部２６の中に他のブロック玩具の突出部２５を挿入することによって、突出部２５及び凹部２６の径が略同一であることと、波状シート紙の凹条と凸条が嵌合することにより、これら２つのブロック玩具を組み合わせて連結することができ、さらに、後述するように、このブロック玩具５の突出部２５は上記のブロック玩具２，３及び４の凹溝１５等と組み合わせて連結することができる。
【００２５】
また、ここでブロック玩具５を例に挙げた複数の円筒部を有する他の種類のブロック玩具は、ここに示した形状に限定されるものではない。すなわち、このブロック玩具５では、円筒部２４を３つ備えたものとしているが、ここでは図示しないが、この円筒部２４の数を１本，２本或いは４本以上としてもよい。また、このブロック玩具５では、突出部材２１，円筒部材２２は共に同じ幅の波状シート紙を丸めて作ったことによって、一方の端部には突出部が、他方の端部には凹部が形成されているが、図１中に示すブロック玩具７６のように、内円筒部を外円筒部よりも長いものとすることで、両端に突出部が形成されたブロック玩具を作成することができ、或いは、ここでは図示しないが、突出部材２１を円筒部材２２よりも短いものとすることで、両端に凹部が形成されたブロック玩具を作成することができる。また、ここでは図示しないが、このブロック玩具５では、円筒部２４を一直線上に並列しているが、これらの円筒部２４を屈曲線上に並べて固定するものとしても良い。なお、以上に述べたブロック玩具５を構成する被覆シート部２３，円筒部２４，突出部２５及び凹部２６は、それぞれ本発明を構成する被覆シート部，円筒部材，突出部及び凹部である。
【００２６】
以上のブロック玩具２，３及び４を例に挙げて述べた平らな板材を貼り合わせて作られる一の種類のブロック玩具、及びブロック玩具５を例に挙げて述べた円筒状の部材を並べて固定する他の種類のブロック玩具を選択して行う連結について説明する。まず、一の種類のブロック玩具と一の種類のブロック玩具同士を選択して連結する場合について、ブロック玩具３１，４１を例に挙げて図６を用いて説明する。この連結は、ブロック玩具３１，４１の互いの有する凹溝３２，４２の中に、互いの有する一方の板部３３，４３又は他方の板部３４，４４を挿入することで行われる。この挿入を行うことにより、図６中のＡ−Ａ線断面図である図７の（Ａ）に示すように、それぞれのブロック玩具３１の一方の板部３３に貼付された波状シート紙３６と、ブロック玩具４１の一方の板部４３に貼付された波状シート紙４６の凹条，凸条が嵌合し、それぞれのブロック玩具３１の一方の板部３３に貼付された波状シート紙３６と、ブロック玩具４１の他方の板部４４に貼付された波状シート紙４７の凹条，凸条が嵌合し、また、それぞれのブロック玩具３１の他方の板部３４に貼付された波状シート紙３７と、ブロック玩具４１の他方の板部４４に貼付された波状シート紙４７の凹条，凸条が嵌合する（なお、波状シート紙３６，３７，４６，４７，４８は、図７中では厚さがないものとして示している。）。さらに、この挿入を行うことにより、図６中のＢ−Ｂ線断面図である図７の（Ｂ）に示すように、それぞれのブロック玩具３１の一方の板部３３に貼付された波状シート紙３６と、ブロック玩具４１の中間板部４５に貼付された波状シート紙４８の凹条，凸条が嵌合する。このように、ブロック玩具３１，４１は、これらの挿入方向に対しては多数の凹条，凸条の摩擦面同士で接することから、着脱が可能な程度に連結され、同時に、このブロック玩具３１，４１の連結の剪断方向、すなわち凹溝の長さ方向に対しては、多数の凹条，凸条が互いに嵌合し合うことから強固に連結することができる。
【００２７】
次に、一の種類のブロック玩具と他の種類のブロック玩具を組み立てて連結する場合について、ブロック玩具４１，５１を例に挙げて図８を用いて説明する。この連結は、ブロック玩具４１の有する凹溝４２の中に、ブロック玩具５１の有する突出部５４の突出部を挿入することで行われる。この挿入を行うことにより、図８中のＣ−Ｃ線断面図である図９に示すように、ブロック玩具４１の一方の板部４３に貼付された波状シート紙４６、及び、他方の板部４４に貼付された波状シート紙４７と、ブロック玩具５１の波状シート紙からなる突出部５４の凹条，凸条が嵌合する（なお、波状シート紙４６，４７と突出部５４を構成する波状シート紙は、図９中では厚さがないものとして示している。）。このように、ブロック玩具３１，４１は、これらの挿入方向に対して多数の凹条，凸条の摩擦面同士で接することから、着脱が可能な程度に連結することができる。
【００２８】
また、他の種類のブロック玩具と他の種類のブロック玩具同士を組み立てて連結する場合については、図示は省略するが、一方の他の種類のブロック玩具の内円筒部により形成される突出部を、他方の他の種類のブロック玩具の外円筒部により形成される凹部内に挿入することにより、このブロック玩具５の突出部の直径及び凹部の内径とは略同一なものとされていることから、また、この突出部の外周及び凹部の内周は、共に波状シート紙の表面が表れていることから、これら２つのブロック玩具を組み合わせて連結することができる。
【００２９】
このように、本実施の態様に係るブロック玩具乃至ブロック玩具セットによれば、板体を組み合わせたブロック玩具や、円筒を組み合わせたブロック玩具のように、様々な形状のブロック玩具を作成し、これらのブロック玩具を任意の形状に組み立て、連結することができる。例えば、以上に述べたブロック玩具２，３，４，５を作成した場合には、これらは図１０に示すように、適宜好みに合わせて組み立てることができる。さらに、以上に挙げたような板体を組み合わせた一の種類のブロック玩具に、他の構成要素を加えることによって、より変化に富んだ形状のブロック玩具を作成することができる。例えば、図１１に示すブロック玩具６１は、一方の板体６２，他方の板体６３及び中間板体６４からなり、これに一方の板体６２，他方の板体６３及び中間板体６４を貫通する図示しない孔を２つ設け、この孔の中にそれぞれ図示しない棒体を挿通させ、この棒体の両端に円盤状の板体６５乃至６８を固定したものであり、図示しない棒体は図示しない孔のなかで回転自在となされ、このため、円盤状の板体６５乃至６８は自由に回転するものとされている。すなわち、このブロック玩具６１は、この円盤状の板体６５乃至６８を車輪に見立て、このブロック玩具６１上に他のブロック玩具を連結することによって、組み立てたブロック玩具を走らせて遊ぶという楽しみを持たせることができる。さらに、詳細には示さないが、図１のブロック玩具７５のように、１枚の板体に波状シート紙を固定し、この板体の記載面上にブロック玩具５等の突出部の外形と同じ径の開口を複数設けて作成することもできる。このブロック玩具７５は、一の種類のブロック玩具と共に用いることを前提として作られたものであって、波状シート紙の部分を上述べた一の種類のブロック玩具の凹溝内にこのブロック玩具７５を挿入して連結することができ、或いはブロック玩具７５の開口内に、以上に述べた他の種類のブロック玩具の突出部を挿入して連結することができる。
【００３０】
【発明の効果】
前述した本発明の実施の形態の説明からも明らかなように、本発明（請求項１記載の発明）のブロック玩具は、一方の板部の一端側の内側面と他方の板部の一端側の内側面と中間板部の端面とにより形成される凹溝の幅は、一方及び他方の板部の厚さと略同じ幅となされる。このため、一のブロック玩具の凹溝の中に他のブロック玩具の一方及び他方の板部を挿入することにより、これら一及び他のブロック玩具を互いの有する溝部に互いの一方又は他方の板部を挿入し合い、連結することができる。また、該溝部の内側面，外側面には凹条と凸条が形成された波状シート部が形成され、この凹条と凸条は該凹溝の長さ方向と直交する方向に長さを有するものであることから、上記の連結のための挿入をする際にはこれらの凹条と凸条が互いに妨げとなることがなく、また、挿入して連結した一及び他のブロック玩具を互いに該凹溝の長さ方向に動かす場合には、これらの凹条と凸条が互いにダンボール紙の弾性を生かして嵌合し合うことから、この一及び他のブロック玩具は確実に連結される。また、このブロック玩具は、段ボール紙という容易に手に入る材料から作られ、簡易な構造であることから容易に作成することができる。また、このブロック玩具を掴んで動かす際には、端部に波状シート部が形成されていることから、このブロック玩具を掴んで動かす場合にはこの波状シート部が滑り止めとなり、握力が弱い幼児でも容易にこのブロック玩具を動かすことができる。
【００３１】
また、第２の発明（請求項２記載の発明）によれば、中間板部の一端面と、前記一方及び他方の板部の各一端面とには、前記凹溝の長さ方向と直交する方向に長さを有する凹条と凸条とが交互に形成された波状シート部が形成されている。このため、前記のように、一及び他のブロック玩具を、互いの板部を互いの溝部に挿入することにより連結した場合には、第１の発明の溝部に述べたように、内側面，外側面の波状シート部の凹条，凸条が嵌合する他に、この中間板部の一端面と一方及び他方の板部の各一端面の凹条，凸条も嵌合するものとなることから、この一及び他のブロック玩具はより確実に連結され、凹部の長さ方向にずれることを防止することができる。
【００３２】
また、第３の発明（請求項３記載の発明）によれば、一方及び他方の板部の外側面には、波状シート部に囲まれて段ボール紙の地が表れ、この地の部分を任意の図柄や文字又は記号が記載される記載面とすることができる。このことから、このブロック玩具を用いる幼児は、ブロック玩具を組み立てるのみならず、この記載面に任意に落書き等を行うことができ、このブロック玩具を用いる遊びの幅をより広げることができる。
【図面の簡単な説明】
【図１】本発明の実施の形態に係る複数のブロック玩具からなるブロック玩具セットを示す斜視図である。
【図２】本発明の実施の形態に係る一の種類のブロック玩具を示す斜視図及び分解斜視図である。
【図３】本発明の実施の形態に係る一の種類のブロック玩具の構成を示す分解斜視図である。
【図４】本発明の実施の形態に係る他の種類のブロック玩具を示す斜視図である。
【図５】本発明の実施の形態に係る他の種類のブロック玩具の構成を示す分解斜視図である。
【図６】本発明の実施の形態に係る一の種類のブロック玩具の連結の状態を示す断面図である。
【図７】本発明の実施の形態に係る一の種類のブロック玩具同士の連結の状態を示す断面拡大図である。
【図８】本発明の実施の形態に係る一の種類のブロック玩具と他の種類のブロック玩具との連結の状態を示す断面図である。
【図９】本発明の実施の形態に係る一の種類のブロック玩具と他の種類のブロック玩具との連結の状態を示す断面拡大図である。
【図１０】本発明の実施の形態に係る一及び他の種類のブロック玩具を任意の形状に連結した状態を示す斜視図である。
【図１１】本発明の実施の形態に係る一の種類のブロック玩具に車輪を加えたブロック玩具を示す斜視図である。
【符号の説明】
１    ブロック玩具セット
２    ブロック玩具
３    ブロック玩具
４    ブロック玩具
５    ブロック玩具
６    一方の板部
７    他方の板部
８    中間板部
９    段ボール紙
１０    段ボール紙
１１    波状シート紙
１２    波状シート紙
１３    波状シート紙
１４    波状シート紙
１５    凹溝
１６    記載面
２３    被覆シート紙
２４    円筒部
２５    突出部
２６    凹部
【図１】
0003884293.tif 000002
【図２】
0003884293.tif 000003
【図３】
0003884293.tif 000004
【図４】
0003884293.tif 000005
【図５】
0003884293.tif 000006
【図６】
0003884293.tif 000007
【図７】
0003884293.tif 000008
【図８】
0003884293.tif 000009
【図９】
0003884293.tif 000010
【図１０】
0003884293.tif 000011
【図１１】
0003884293.tif 000012